(57)【要約】【課題】  予め定められている時間間隔が経過する前であっても、サーバのコンテンツを受信することができる移動機を提供すること。【解決手段】  移動機１０は、第１のサーバ２０に対してコンテンツ送信要求を送信する第１の送信部１０１と、第２のサーバ３０に対してコンテンツ送信要求を送信する第２の送信部１０２と、第１の送信部１０１及び第２の送信部１０２に対してコンテンツ送信要求の送信を指示する送信指示情報を出力する送信制御部１０３と、第１のサーバ２０から送信される緊急通知を受信する通知受信部１０７と、を備える。送信制御部１０３は、予め定められている第１の時間間隔で、又は通知受信部１０７が緊急通知を受信した際に、第１の送信部１０１に対して送信指示情報を出力すると共に、第２の送信部１０２に対しては、予め定められている第２の時間間隔で送信指示情報を出力する。【選択図】  図１
2006191391.tif 000002
【特許請求の範囲】
【請求項１】
第１のサーバと第２のサーバとのそれぞれから送信されるコンテンツを受信して表示する移動機であって、
前記第１のサーバに対して前記コンテンツの送信を要求するコンテンツ送信要求を送信する第１の送信手段と、
前記第２のサーバに対して前記コンテンツの送信を要求するコンテンツ送信要求を送信する第２の送信手段と、
前記第１の送信手段及び前記第２の送信手段に対して前記コンテンツ送信要求の送信を指示する送信指示情報を出力する送信制御手段と、
前記第１のサーバから送信されるコンテンツの取得を指示する緊急通知を受信する通知受信手段と、を備え、
前記送信制御手段は、
予め定められている第１の時間間隔で、又は前記通知受信手段が前記緊急通知を受信した際に、前記第１の送信手段に対して前記送信指示情報を出力すると共に、
前記第２の送信手段に対しては、予め定められている第２の時間間隔で前記送信指示情報を出力する、移動機。
【請求項２】
さらに、前記第１の時間間隔を変更する第１の時間間隔変更手段を備えていることを特徴とする請求項１に記載の移動機。
【請求項３】
さらに、前記第２の時間間隔を変更する第２の時間間隔変更手段を備えていることを特徴とする請求項１もしくは請求項２に記載の移動機。
【請求項４】
第１のコンテンツ及びコンテンツの取得を指示する緊急通知を送信する第１のサーバと、
第２のコンテンツを送信する第２のサーバと、
前記第１のコンテンツと前記第２のコンテンツとを受信して表示する移動機であって、
前記第１のサーバに対して前記第１のコンテンツの送信を要求するコンテンツ送信要求を送信する第１の送信手段と、
前記第２のサーバに対して前記第２のコンテンツの送信を要求するコンテンツ送信要求を送信する第２の送信手段と、
前記第１の送信手段及び前記第２の送信手段に対して前記コンテンツ送信要求の送信を指示する送信指示情報を出力する送信制御手段と、
前記第１のサーバから送信される前記第１のコンテンツ及び前記緊急通知を受信すると共に、前記第２のサーバから送信される前記第２のコンテンツを受信する受信手段と、を備え、
前記送信制御手段は、
予め定められている第１の時間間隔で、又は前記受信手段が前記緊急通知を受信した際に、前記第１の送信手段に対して前記送信指示情報を出力すると共に、
前記第２の送信手段に対しては、予め定められている第２の時間間隔で前記送信指示情報を出力する、移動機と、を有し、
前記第１のサーバは、前記移動機の前記第１の送信手段から送信される前記コンテンツ送信要求を受信した際に、前記移動機の前記受信手段に対して前記第１のコンテンツを送信し、
前記第２のサーバは、前記移動機の前記第２の送信手段から送信される前記コンテンツ送信要求を受信した際に、前記移動機の前記受信手段に対して前記第２のコンテンツを送信する、コンテンツ配信システム。
【請求項５】
さらに、前記第１のサーバは、
第１のネットワークを構成するサーバから送信される第１のデータ及び前記緊急通知を受信する第１のデータ受信手段と、
前記第１のデータを記憶する第１の記憶手段と、
前記第１の記憶手段に記憶された前記第１のデータの少なくとも一部を前記第１のコンテンツとして抽出する第１の抽出手段と、を備え、
前記第１のサーバは、前記緊急通知と、前記第１の抽出手段により抽出された前記第１のコンテンツとを前記移動機の前記受信手段へ送信すると共に、
前記第２のサーバは、
第２のネットワークを構成するサーバから送信される第２のデータを受信する第２のデータ受信手段と、
前記第２のデータを記憶する第２の記憶手段と、
前記第２の記憶手段に記憶された前記第２のデータの少なくとも一部を前記第２のコンテンツとして抽出する第２の抽出手段と、を備え、
前記第２のサーバは、前記第２の抽出手段により抽出された前記第２のコンテンツを前記移動機の前記受信手段へ送信することを特徴とする請求項４に記載のコンテンツ配信システム。
【請求項６】
さらに、前記移動機は、前記第１のサーバの前記第１の抽出手段によって抽出される前記第１のコンテンツを選択する第１の配信コンテンツ選択手段を備えると共に、
前記第１のサーバは、前記第１の配信コンテンツ選択手段によって選択された前記第１のコンテンツを登録する第１の選択コンテンツ登録手段を備え、
前記第１の選択コンテンツ登録手段に登録されている前記第１のコンテンツに従って、前記第１の抽出手段が前記第１の記憶手段に記憶されたデータを抽出することを特徴とする請求項５に記載のコンテンツ配信システム。
【請求項７】
さらに、前記移動機は、前記第２のサーバの前記第２の抽出手段によって抽出される前記第２のコンテンツを選択する第２の配信コンテンツ選択手段を備えると共に、
前記第２のサーバは、前記第２の配信コンテンツ選択手段によって選択された前記第２のコンテンツを登録する第２の選択コンテンツ登録手段を備え、
前記第２の選択コンテンツ登録手段に登録されている前記第２のコンテンツに従って、前記第２の抽出手段が前記第２の記憶手段に記憶されたデータを抽出することを特徴とする請求項５もしくは請求項６に記載のコンテンツ配信システム。
【請求項８】
第１のコンテンツ及びコンテンツの取得を指示する緊急通知を送信する第１のサーバと、第２のコンテンツを送信する第２のサーバと、前記第１のコンテンツと前記第２のコンテンツとを受信して表示する移動機と、を備えるシステムにおけるコンテンツ配信方法であって、
前記移動機の第１の送信手段が、第１のサーバに対して第１のコンテンツの送信を要求するコンテンツ送信要求を送信する第１の送信ステップと、
前記移動機の第２の送信手段が、第２のサーバに対して第２のコンテンツの送信を要求するコンテンツ送信要求を送信する第２の送信ステップと、
前記移動機の送信制御手段が、前記第１の送信手段もしくは前記第２の送信手段に対して、前記コンテンツ送信要求の送信を指示する送信指示情報を出力する送信制御ステップと、
前記第１のサーバが、前記移動機の前記第１の送信手段から送信される前記コンテンツ送信要求を受信した際に、前記移動機の受信手段に対して前記第１のコンテンツを送信する第１のコンテンツ送信ステップと、
前記第２のサーバが、前記移動機の前記第２の送信手段から送信される前記コンテンツ送信要求を受信した際に、前記移動機の前記受信手段に対して前記第２のコンテンツを送信する第２のコンテンツ送信ステップと、
前記移動機の受信手段が、前記第１のサーバから送信される前記第１のコンテンツ及び前記緊急通知を受信する、もしくは前記第２のサーバから送信される前記第２のコンテンツを受信する受信ステップと、を備え、
前記送信制御ステップでは、
予め定められている第１の時間間隔で、又は前記移動機の前記受信手段が前記緊急通知を受信した際に、前記移動機の送信制御手段が前記第１の送信手段に対して前記送信指示情報を出力し、
予め定められている第２の時間間隔で、前記移動機の送信制御手段が前記第２の送信手段に対して前記送信指示情報を出力する、コンテンツ配信方法。
【発明の詳細な説明】
【技術分野】
【０００１】
本発明は、移動機、コンテンツ配信システム、及びコンテンツ配信方法に関する。
【背景技術】
【０００２】
インターネットといったネットワークを介して提供されるコンテンツを携帯電話機等の移動機を用いて入手する場合、移動機のユーザ（加入者）が移動機を操作してコンテンツ提供者が設置したサーバにコンテンツの配信を要求し、それに応じて配信されるコンテンツを閲覧する方法が一般的である。近年、この一般的な方法に加えて、ユーザが移動機を操作しなくとも、ユーザが予め選択したコンテンツを定期的に更新する方法も考えられている。この方法は、予め定められた時間間隔で、ユーザの移動機からコンテンツ提供者のサーバ（場合によっては、複数のサーバ）に対してコンテンツの送信を要求するものである。
【０００３】
ところで、複数のコンピュータの組み合わせによって構築されるネットワークにおいて、１台のホストコンピュータが複数のターミナルコンピュータに対してデータの送信要求を確認する処理として、ポーリングという手法が知られている（例えば、特許文献１参照）。
【特許文献１】特開２０００−２０１１５６号
【発明の開示】
【発明が解決しようとする課題】
【０００４】
上述の技術においては、例えば、コンテンツ提供者がユーザへ緊急のコンテンツを送信したい場合であっても、予め定められている時間間隔（すなわち、ポーリング周期）が来るまでは、ユーザ自らが移動機を操作してサーバに対して送信を要求しない限り、サーバはコンテンツを送信することができない。
【０００５】
そこで本発明は、コンテンツ提供者側の意図を反映した時機にコンテンツを受信することができる移動機、コンテンツ配信システム、及びコンテンツ配信方法を提供することを目的とする。
【課題を解決するための手段】
【０００６】
本発明の移動機は、第１のサーバと第２のサーバとのそれぞれから送信されるコンテンツを受信して表示する移動機であって、上記第１のサーバに対して上記コンテンツの送信を要求するコンテンツ送信要求を送信する第１の送信手段と、上記第２のサーバに対して上記コンテンツの送信を要求するコンテンツ送信要求を送信する第２の送信手段と、上記第１の送信手段及び上記第２の送信手段に対して上記コンテンツ送信要求の送信を指示する送信指示情報を出力する送信制御手段と、上記第１のサーバから送信されるコンテンツの取得を指示する緊急通知を受信する通知受信手段と、を備え、上記送信制御手段は、予め定められている第１の時間間隔で、又は上記通知受信手段が上記緊急通知を受信した際に、上記第１の送信手段に対して上記送信指示情報を出力すると共に、上記第２の送信手段に対しては、予め定められている第２の時間間隔で上記送信指示情報を出力する。
【０００７】
本発明の移動機によれば、移動機が第１のサーバから送信される緊急通知を受信した際に、移動機は第１のサーバに対してコンテンツの送信を要求する。したがって、移動機において予め定められている時間間隔が経過する前であっても、第１のサーバからの指示に応じて移動機はコンテンツの配信を要求することができる。さらに、移動機は、第１のサーバから送信される緊急通知のみに従って、コンテンツ送信要求を送信するので、例えば、第２のサーバから緊急通知が送信されたとしても、コンテンツ送信要求を送信しない。従って、緊急通知の指示に従うサーバと従わないサーバとを区別することができる。
【０００８】
また本発明の移動機において、上記第１の時間間隔を変更する第１の時間間隔変更手段を備えるように構成してもよい。同様に、上記第２の時間間隔を変更する第２の時間間隔変更手段を備えるように構成してもよい。これにより、ユーザが任意に設定した時間間隔でサーバに対してコンテンツの送信をすることができる。
【０００９】
本発明のコンテンツ配信システムは、第１のコンテンツ及びコンテンツの取得を指示する緊急通知を送信する第１のサーバと、第２のコンテンツを送信する第２のサーバと、上記第１のコンテンツと上記第２のコンテンツとを受信して表示する移動機であって、上記第１のサーバに対して上記第１のコンテンツの送信を要求するコンテンツ送信要求を送信する第１の送信手段と、上記第２のサーバに対して上記第２のコンテンツの送信を要求するコンテンツ送信要求を送信する第２の送信手段と、上記第１の送信手段及び上記第２の送信手段に対して上記コンテンツ送信要求の送信を指示する送信指示情報を出力する送信制御手段と、上記第１のサーバから送信される第１のコンテンツ及び上記緊急通知を受信すると共に、上記第２のサーバから送信される第２のコンテンツを受信する受信手段、を備え、上記送信制御手段は、予め定められている第１の時間間隔で、又は上記受信手段が上記緊急通知を受信した際に、上記第１の送信手段に対して上記送信指示情報を出力すると共に、上記第２の送信手段に対しては、予め定められている第２の時間間隔で上記送信指示情報を出力する、移動機と、を有し、上記第１のサーバは、上記移動機の上記第１の送信手段から送信される上記コンテンツ送信要求を受信した際に、上記移動機の上記受信手段に対して上記第１のコンテンツを送信し、上記第２のサーバは、上記移動機の上記第２の送信手段から送信される上記コンテンツ送信要求を受信した際に、上記移動機の上記受信手段に対して上記第２のコンテンツを送信する。
【００１０】
本発明のコンテンツ配信システムによれば、上記の移動機の発明の場合と同様に、移動機が第１のサーバから送信される緊急通知を受信した際に、移動機は第１のサーバに対してコンテンツの送信を要求する。したがって、移動機において予め定められている時間間隔が経過する前であっても、第１のサーバからの指示に応じて移動機はコンテンツの配信を要求することができる。さらに、移動機は、第１のサーバから送信される緊急通知のみに従って、コンテンツ送信要求を送信するので、例えば、第２のサーバから緊急通知が送信されたとしても、コンテンツ送信要求を送信しない。従って、緊急通知の指示に従うサーバと従わないサーバとを区別することができる。
【００１１】
また、本発明のコンテンツ配信システムにおいて、さらに、上記第１のサーバは、第１のネットワークを構成するサーバから送信される第１のデータ及び上記緊急通知を受信する第１のデータ受信手段と、上記第１のデータを記憶する第１の記憶手段と、上記第１の記憶手段に記憶された上記第１のデータの少なくとも一部を上記第１のコンテンツとして抽出する第１の抽出手段と、を備え、上記第１のサーバは、上記緊急通知と、上記第１の抽出手段により抽出された上記第１のコンテンツとを上記移動機の上記受信手段へ送信すると共に、上記第２のサーバは、第２のネットワークを構成するサーバから送信される第２のデータを受信する第２のデータ受信手段と、上記第２のデータを記憶する第２の記憶手段と、上記第２の記憶手段に記憶された上記第２のデータの少なくとも一部を上記第２のコンテンツとして抽出する第２の抽出手段と、を備え、上記第２のサーバは、上記第２の抽出手段により抽出された上記第２のコンテンツを上記移動機の上記受信手段へ送信するようにしてもよい。このような構成とした場合、上記第１のサーバと上記第２のサーバとを、ネットワークと移動機の間を介在する中継サーバとして、移動機は第１のネットワークからのコンテンツのみを受信するようにできる。
【００１２】
また、本発明のコンテンツ配信システムにおいて、上記移動機は、上記第１のサーバの上記第１の抽出手段によって抽出される上記第１のコンテンツを選択する第１の配信コンテンツ選択手段を備えると共に、上記第１のサーバは、上記第１の配信コンテンツ選択手段によって選択された上記第１のコンテンツを登録する第１の選択コンテンツ登録手段を備え、上記第１の選択コンテンツ登録手段に登録されている上記第１のコンテンツに従って、上記第１の抽出手段が上記第１の記憶手段に記憶されたデータを抽出するようにしてもよい。同様に、上記移動機は、上記第２のサーバの上記第２の抽出手段によって抽出される上記第２のコンテンツを選択する第２の配信コンテンツ選択手段を備えると共に、上記第２のサーバは、上記第２の配信コンテンツ選択手段によって選択された上記第２のコンテンツを登録する第２の選択コンテンツ登録手段を備え、上記第２の選択コンテンツ登録手段に登録されている上記第２のコンテンツに従って、上記第２の抽出手段が上記第２の記憶手段に記憶されたデータを抽出するようにしてもよい。このような構成とした場合、移動機が第１のサーバから受信するコンテンツと第２のサーバから受信するコンテンツとを、ユーザは個別に選択し、各サーバに登録することができる。
【００１３】
なお、本発明は、上記のようにコンテンツ配信システムの発明として記述できる他に、以下のようにコンテンツ配信方法の発明としても記述することができる。これはカテゴリーが異なるだけで、実質的に同一の発明であり、同様の作用・効果を奏する。
【００１４】
本発明のコンテンツ配信方法は、第１のコンテンツ及びコンテンツの取得を指示する緊急通知を送信する第１のサーバと、第２のコンテンツを送信する第２のサーバと、上記第１のコンテンツと上記第２のコンテンツとを受信して表示する移動機と、を備えるシステムにおけるコンテンツ配信方法であって、上記移動機の第１の送信手段が、第１のサーバに対して第１のコンテンツの送信を要求するコンテンツ送信要求を送信する第１の送信ステップと、上記移動機の第２の送信手段が、第２のサーバに対して第２のコンテンツの送信を要求するコンテンツ送信要求を送信する第２の送信ステップと、上記移動機の送信制御手段が、上記第１の送信手段もしくは上記第２の送信手段に対して、上記コンテンツ送信要求の送信を指示する送信指示情報を出力する送信制御ステップと、上記第１のサーバが、上記移動機の上記第１の送信手段から送信される上記コンテンツ送信要求を受信した際に、上記移動機の受信手段に対して上記第１のコンテンツを送信する第１のコンテンツ送信ステップと、上記第２のサーバが、上記移動機の上記第２の送信手段から送信される上記コンテンツ送信要求を受信した際に、上記移動機の上記受信手段に対して上記第２のコンテンツを送信する第２のコンテンツ送信ステップと、上記移動機の受信手段が、上記第１のサーバから送信される上記第１のコンテンツ及び上記緊急通知を受信する、もしくは上記第２のサーバから送信される上記第２のコンテンツを受信する受信ステップと、を備え、上記送信制御ステップでは、予め定められている第１の時間間隔で、又は上記移動機の上記受信手段が上記緊急通知を受信した際に、上記移動機の送信制御手段が上記第１の送信手段に対して上記送信指示情報を出力し、予め定められている第２の時間間隔で、上記移動機の送信制御手段が上記第２の送信手段に対して上記送信指示情報を出力する。
【発明の効果】
【００１５】
本発明によれば、移動機において予め定められている時間間隔が経過する前であっても、サーバ側からの要請に応じて移動機がコンテンツを受信することができる。従って、コンテンツ提供者側の意図を反映した時機に、移動機がコンテンツを受信することができる。
【発明を実施するための最良の形態】
【００１６】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１７】
（第１実施形態）  第１実施形態に係るコンテンツ配信システムを図１〜３を参照しながら説明する。
【００１８】
まず、第１実施形態に係るコンテンツ配信システムの構成について、図１を参照しながら説明する。図１に示すコンテンツ配信システム１は、移動機１０と第１のサーバ２０と第２のサーバ３０とを備え、相互に情報通信が可能なように構成されている。
【００１９】
移動機１０は、ユーザが利用する情報通信端末であって、例としては携帯電話機や通信機能を備えるＰＤＡがある。
【００２０】
移動機１０は機能的な構成要素として、第１の送信部１０１（第１の送信手段）と、第２の送信部１０２（第２の送信手段）と、送信制御部１０３（送信制御手段）と、受信部１０６（受信手段）と、設定操作部１２０と、コンテンツ処理部１４０と、表示部１６０と、を備える。さらに、設定操作部１２０は、第１の時間間隔変更部１２１（第１の時間間隔変更手段）と、第２の時間間隔変更部１２２（第２の時間間隔変更手段）と、を備え、送信制御部１０３は、第１のタイマー１０４と、第２のタイマー１０５と、を備える。また、受信部１０６は、通信受信部１０７（通知受信手段）を備える。
【００２１】
引き続いて、移動機１０を構成する各要素の機能及び動作を説明する。
第１の送信部１０１は、第１のサーバ２０に対してコンテンツの送信を要求するコンテンツ送信要求を送信する部分である。同様に、第２の送信部１０２は、第２のサーバ３０に対してコンテンツ送信要求を送信する部分である。第１の送信部１０１及び第２の送信部１０２は、送信制御部１０３から出力される送信指示情報の入力を受けて、各サーバ２０，３０に対してコンテンツ送信要求を送信する。
送信制御部１０３は、次のような場合に第１の送信部１０１もしくは第２の送信部１０２に対して送信指示情報を出力する。
１）第１のタイマー１０４において予め定められている第１の時間間隔で第１の送信部１０１に対して出力する場合
２）第２のタイマー１０５において予め定められている第２の時間間隔で第２の送信部１０２に対して出力する場合
３）第１のサーバ２０から送信されるコンテンツの取得を指示する緊急通知を通知受信部１０７が受信したことによって、第１の送信部１０１に対して出力する場合
４）ユーザが移動機の設定操作部１２０を操作することによって、第１の送信部１０１に対して出力する場合
５）ユーザが移動機の設定操作部１２０を操作することによって、第２の送信部１０２に対して出力する場合
【００２２】
第１のタイマー１０４は、予め定められている第１の時間間隔で第１の送信部１０１に対して送信指示情報を送信するように送信制御部１０３を動作させる。同様に、第２のタイマー１０５は、予め定められている第２の時間間隔で第２の送信部１０２に対して送信指示情報を送信するように送信制御部１０３を動作させる。
【００２３】
受信部１０６は、第１のサーバ２０から送信された第１のコンテンツ及び第２のサーバ３０から送信された第２のコンテンツを受信する部分で、受信したコンテンツは、コンテンツ処理部１４０に出力される。受信部１０６の受信通知部１０７は、第１のサーバ２０から送信された緊急通知を受信する部分で、受信した緊急通知は送信制御部１０３に対して出力する。
【００２４】
設定操作部１２０は、ユーザの操作によって、送信制御部１０３による送信指示情報の出力に関する指示と、コンテンツ処理部１４０に記憶されているコンテンツを表示部１６０に表示する指示を出力する。また、第１の時間間隔変更部１２１は、第１のタイマー１０４で設定されている第１の時間間隔を変更することができる。同様に、第２の時間間隔変更部１２２は、第２のタイマー１０５で設定されている第２の時間間隔を変更することができる。なお、時間間隔の変更は、第１の時間間隔もしくは第２の時間間隔のいずれか一方のみを許可するようにしても良く、時間間隔の幅も１分から２週間といった所定の範囲で任意に設定可能としても良い。例えば、第１のタイマー１０４は初期値の３時間で固定とし、第２のタイマー１０５は１分から２週間の間のいくつかの種類からユーザが任意に選択できるように構成して良い。
【００２５】
コンテンツ処理部１４０は、第１のサーバ２０及び第２のサーバ３０から受信部１０６を経由して入力されたコンテンツを記憶し、設定操作部１２０の指示に基づき記憶したコンテンツを表示部に出力する。表示部１６０は、コンテンツ処理部１４０から出力されたコンテンツを表示する。
【００２６】
次に第１のサーバ２０の構成を説明する。第１のサーバ２０は、移動機１０に対してデータや機能を提供するコンピュータ若しくは複数のコンピュータによって構成されるシステムであり、ＣＰＵ（中央処理装置）、メモリ、マウスやキーボードといった入力装置、ディスプレイといった表示装置、ハードディスクといった格納装置など（いずれも図示しない）を備える。
【００２７】
第１のサーバ２０は、機能的な構成要素として、第１の送信要求受信部２０１と、第１のコンテンツ２０３を記憶する第１の記憶部２０２と、第１のコンテンツ送信部２０４と、緊急通知送信部２０５と、を備えている。第１の記憶部２０２は、第１の抽出部２１５を備えている。
【００２８】
第１の送信要求受信部２０１は、移動機１０の第１の送信部１０１からのコンテンツ送信要求を受信し、第１の記憶部へ出力する部分である。第１の記憶部２０２は、コンテンツ送信要求の受信し、第２のコンテンツ送信部３０４に対して第１のコンテンツ２０３を出力する。第１の記憶部２０２の第１の抽出部２１５は、コンテンツ送信要求の受信に応じて、移動機１０へ送信する第１のコンテンツ２０３を第１の記憶部２０２が記憶するデータから抽出する部分である。第１のコンテンツ送信部２０４は、抽出された第１のコンテンツ２０３を移動機１０の受信部１０６に対して送信する。
【００２９】
緊急通知送信部２０５は、第１のサーバ２０からコンテンツの取得を移動機１０に指示する緊急通知を、移動機１０の通知受信部１０７へ送信する。例えば次のような場合に、緊急通知送信部２０５が、移動機１０に対して緊急通知を送信するように第１のサーバ２０を構成することができる。
１）第１のサーバ２０が、外部（他のサーバや情報通信端末など）から緊急通知の送信指示を受信した場合
２）第１のサーバ２０の第１の記憶部２０２が、コンテンツ情報提供者からの緊急通知に関するデータを含むコンテンツを記憶した場合
３）第１のサーバ２０の第１の記憶部２０２が、ユーザが予め定めたコンテンツを記憶した場合
【００３０】
次に第２のサーバ３０の構成を説明する。第２のサーバ３０の構成は、第１のサーバ２０における緊急通知送信部２０５がないことを除き、第１のサーバと同様であり、序数詞の部分以外は同じ名称とした要素である送信要求受信部、記憶部、抽出部、コンテンツ送信部は第１のサーバ２０の対応する要素と同じ機能を備える。具体的には、第２の送信要求受信部３０１は、移動機１０の第２の送信部１０２からのコンテンツ送信要求を受信する。第２の送信要求受信部３０１によるコンテンツ送信要求の受信を受けて、第２の記憶部３０２の第２の抽出部３１５は、移動機１０に送信する第２のコンテンツ３０３を抽出する。第２の記憶部３０２は、第２のコンテンツ送信部３０４に対して抽出された第２のコンテンツ３０３を出力し、第２のコンテンツ送信部３０４は移動機１０の受信部１０６に対して第２のコンテンツ３０３を送信する。
【００３１】
続いて、コンテンツ配信システム１の動作について、図２及び図３を参照しながら説明する。まず、予め定められている時間間隔で移動機がコンテンツを取得する場合について、図２を用いて説明する。第１のタイマー１０４において、移動機１０の電源投入時、最後にコンテンツを取得した時、もしくは日付変更時などの始点となる時間から予め定められている第１の時間間隔が経過した際（Ｓ０１）、送信制御部１０３は、第１の送信部１０１に対して送信指示情報を出力する（Ｓ０２）。第１の送信部１０１は、送信指示情報の入力を受けて、第１のサーバ２０に対してコンテンツの送信を要求するコンテンツ送信要求を生成し（Ｓ０３）、第１のサーバ２０の第１の送信要求受信部２０１に対してコンテンツ送信要求を送信する（Ｓ０４）。第１の記憶部２０２の第１の抽出部２１５は、第１の送信要求受信部２０１によるコンテンツ送信要求の受信に応じて、記憶されているデータから移動機１０に送信すべき第１のコンテンツ２０３を抽出する（Ｓ０５）。なお、第１の抽出部２１５は、情報通信ネットワーク提供者指定、ユーザ指定もしくはコンテンツ提供者指定のいずれかにより指定されたコンテンツを抽出する。第１のコンテンツ送信部２０４は、抽出された第１のコンテンツ２０３を移動機１０の受信部１０６に対して送信する（Ｓ０６）。
【００３２】
ここでは、移動機１０が第１の時間間隔で第１のサーバ２０に記憶された第１のコンテンツ２０３を取得する場合を説明したが、移動機１０が第２の時間間隔で第２のサーバ３０に記憶された第２のコンテンツ３０３を取得する場合も同様である。具体的には、第１の送信部１０１が第２の送信部１０２に、第１のタイマー１０４が第２のタイマー１０５に、第１の送信要求受信部２０１が第２の送信要求部３０１に、第１の記憶部２０２が第２の記憶部３０２に、第１のコンテンツ２０３が第２のコンテンツ３０３に、第１のコンテンツ送信部２０４が第２のコンテンツ送信部３０４に、第１の抽出部２１５が第２の抽出部３１５に、それぞれ置き換わり上述の説明及び図２に示される動作を行う。
【００３３】
次に、第１のサーバ２０からの緊急通知を受信した移動機１０がコンテンツを取得する場合について、図３を用いて説明する。まず、第１のサーバ２０は、コンテンツの取得を移動機１０に指示する緊急通知を外部から受信する、もしくは第１の記憶部２０２に記憶されたコンテンツに基づいて緊急通知を生成する（Ｓ１１）。緊急通知送信部２０５は、受信もしくは生成された緊急通知を移動機１０の受信部１０６に設けられた通知受信部１０７へ送信する（Ｓ１２）。送信制御部１０３は、通知受信部１０７による緊急通知の受信に応じて、第１の送信部１０１に対して送信指示情報を出力する（Ｓ１３）。第１の送信部１０１は、送信指示情報の入力を受けて、第１のサーバ２０に対してコンテンツの送信を要求するコンテンツ送信要求を生成し（Ｓ１４）、第１のサーバ２０の第１の送信要求受信部２０１に対してコンテンツ送信要求を送信する（Ｓ１５）。第１の記憶部２０２は、第１の送信要求受信部２０１によるコンテンツ送信要求の受信に応じて、記憶されているデータから移動機１０のユーザに送信すべき第１のコンテンツ２０３（少なくとも緊急通知に対応するコンテンツを含むコンテンツ）を抽出する（Ｓ１６）。第１のコンテンツ送信部２０４は、抽出された第１のコンテンツ２０３を移動機１０の受信部１０６に対して送信する（Ｓ１７）。
【００３４】
このような構成とすることで、第１の実施形態移動機に係るコンテンツ配信システム１において、第１のサーバ２０から送信される緊急通知を受信した際に、移動機１０は第１のサーバ２０に対してコンテンツの送信を要求することができる。したがって、移動機１０において予め定められている第１の時間間隔が経過する前であっても、第１のサーバ２０からの指示（すなわち、情報通信ネットワーク提供者、ユーザもしくはコンテンツ提供者の意図）に応じて移動機１０はコンテンツの配信を要求することができる。さらに、移動機１０は、第１のサーバ２０から送信される緊急通知のみに従って、コンテンツ送信要求を送信するので、例えば、第２のサーバから緊急通知が送信されたとしても、コンテンツ送信要求を送信しない。従って、緊急通知の指示に従うサーバ（本実施形態では、第１のサーバ２０）と、指示に従わないサーバ（本実施形態では、第２のサーバ３０）を区別することができる。
【００３５】
なお、ここでは、第１の時間間隔、第２の時間間隔、もしくは緊急通知に応じて移動機１０がコンテンツ送信要求をサーバに送信し、コンテンツを取得する場合を主に説明したが、これらの場合に加えて、移動機１０の操作設定部１２０をユーザが操作することで、第１のサーバ２０もしくは第２のサーバ３０へコンテンツ送信要求を送信できるように構成しても良い。
【００３６】
引き続き、第２実施形態に係るコンテンツ配信システムを図４〜６を参照しながら以下説明する。
【００３７】
まず、第２実施形態に係るコンテンツ配信システム２の構成について、図４を参照しながら説明する。図４に示すコンテンツ配信システム２は、一部を除いて第１実施形態に係るコンテンツ配信システム１と同じ構成である。ただし、第２実施形態に係るコンテンツ配信システム２は、第１のネットワーク４０とネットワーク５０とを備える点が、第１実施形態に係るコンテンツ配信システム１と相違する。第１のネットワーク４０及び第２のネットワーク５０は、コンテンツを含むデータの配信が可能なサーバ等のネットワーク要素から構成され、第１のネットワーク４０は第１のサーバ２０と、第２のネットワーク５０は第２のサーバ３０と、相互に情報通信が可能である。
【００３８】
これらの相違点に加えて、移動機１０の設定操作部１２０は、第１のサーバ２０において第１のデータ２１３から抽出するコンテンツを選択し、選択したコンテンツに関する情報を第１のサーバ２０の第１選択コンテンツ登録部２１４に登録するための第１の配信コンテンツ選択部１２６（第１の配信コンテンツ選択手段）を備える。第１の配信コンテンツ選択部１２６はコンテンツの選択に関するデータを、送信制御部１０３及び第１の送信部１０１を経由して第１のサーバ２０へ送信し、第１の送信要求受信部２０１を経由して第１の記憶部２０２の第１選択コンテンツ登録部２１４（第１の選択コンテンツ登録手段）に登録する。同様に、移動機１０の設定操作部１２０は、第２のサーバ３０において第２のデータ３１３から抽出するコンテンツを選択し、選択したコンテンツに関する情報を第２のサーバ３０の第２選択コンテンツ登録部３１４（第２の選択コンテンツ登録手段）に登録するための第２の配信コンテンツ選択部１２７（第２の配信コンテンツ選択手段）を備える。
【００３９】
さらに、第１のサーバ２０は、さらに第１のネットワーク４０からのデータを受信する第１のデータ受信部２１１（第１のデータ受信手段）を備える。また、第１の記憶部２０２は、第１の抽出部２１５で抽出するコンテンツを登録する第１の選択コンテンツ登録部２１４（第１の選択コンテンツ登録手段）を備えると共に、第１のデータ受信部２１１が受信した第１のデータ２１３を記憶する。同様に、第２のサーバ３０は、第２のネットワーク５０からのデータを受信する第２のデータ受信部３１１（第２のデータ受信手段）を備える。また、第２の記憶部３０２は、第２の抽出部３１５で抽出するコンテンツを登録する第２の選択コンテンツ登録部３１４（第２の選択コンテンツ登録手段）を備えると共に、第２のデータ受信部３１１が受信した第２のデータ３１３を記憶する。
【００４０】
なお、ここで言う第１のデータ２１３及び第２のデータ３１３は、第１のネットワーク４０を構成するサーバ等のネットワーク要素及び第２のネットワーク５０を構成するサーバ等のネットワーク要素から第１のサーバ２０及び第２のサーバ３０が受信したデータであり、移動機１０へ送信するコンテンツを含むコンテンツの集合体と呼べるものである。また、第１のサーバ２０の第１の記憶部２０２及び第２のサーバ３０の第２のデータ３１３は、受信した第１のデータ２１３及び第２のデータ３１３の全部もしくは一部を適宜更新する。
【００４１】
上述の説明のほか、第２実施形態に係るコンテンツ配信システム２において、第１実施形態に係るコンテンツ配信システム１と同じ機能的な構成要素には同じ符号を付して、重複する説明を省略する。
【００４２】
続いて、コンテンツ配信システム２の動作について、図５及び図６を参照しながら説明する。まず、予め定められている時間間隔で移動機がコンテンツを取得する場合について、図５を用いて説明する。第１のネットワーク４０のネットワーク要素（サーバ等）は、データを生成し（Ｓ２１）、第１のサーバ２０の第１のデータ受信部２１１に対して生成したデータを送信する（Ｓ２２）。
【００４３】
次に、移動機１０の第１のタイマー１０４において、移動機１０の電源投入時、最後にコンテンツを取得した時、もしくは日付変更時などの始点となる時間から予め定められている第１の時間間隔が経過した際（Ｓ２３）、送信制御部１０３は、第１の送信部１０１に対して送信指示情報を出力する（Ｓ２４）。第１の送信部１０１は、送信指示情報の入力を受けて、第１のサーバ２０に対してコンテンツの送信を要求するコンテンツ送信要求を生成し（Ｓ２５）、第１のサーバ２０の第１の送信要求受信部２０１に対してコンテンツ送信要求を送信する（Ｓ２６）。第１の送信要求受信部２０１によるコンテンツ送信要求の受信に応じて、第１の記憶部２０２の第１抽出部は、第１の選択コンテンツ登録部２１４の登録内容に基づいて、記憶されている第１のデータ２１３から移動機１０に送信すべき第１のコンテンツ２０３を抽出する（Ｓ２７）。第１のコンテンツ送信部２０４は、抽出された第１のコンテンツ２０３を移動機１０の受信部１０６に対して送信する（Ｓ２８）。
【００４４】
ここでは、移動機１０が第１の時間間隔で第１のサーバ２０に記憶された第１のコンテンツ２０３を取得する場合を説明したが、移動機１０が第２の時間間隔で第２のサーバ３０に記憶された第２のコンテンツ３０３を取得する場合も同様である。具体的には、第１の送信部１０１が第２の送信部１０２に、第１のタイマー１０４が第２のタイマー１０５に、第１の送信要求受信部２０１が第２の送信要求部３０１に、第１の記憶部２０２が第２の記憶部３０２に、第１のコンテンツ２０３が第２のコンテンツ３０３に、第１のコンテンツ送信部２０４が第２のコンテンツ送信部３０４に、第１のデータ受信部２１１が第２のデータ受信部３１１に、第１の選択コンテンツ登録部２１４が第２の選択コンテンツ登録部３１４に、第１の抽出部２１５が第２の抽出部３１５に、それぞれ置き換わり上述の説明及び図５に示される動作を行う。
【００４５】
また、ネットワーク要素がデータを生成する時期並びに時間間隔、及び送信する時期並びに時間間隔は特に限定されず、コンテンツ提供者が任意に定めたものであってよい。また、第１のサーバ２０及び第２のサーバ３０が、任意の時間間隔で対応する第１のネットワーク４０及び第２のネットワーク５０に対してデータの送信を指示するように構成しても良い。
【００４６】
次に、第１のネットワーク４０から第１のデータ及び緊急通知の送信を指示するデータを第１のサーバ２０が受信し、第１のサーバ２０を経由して緊急通知を受信した移動機１０がコンテンツを取得する場合について、図６を用いて説明する。なお、図６に示される手順は、第１の実施形態における第１のサーバ２０に関する構成例である「２）コンテンツ情報提供者からの緊急通知に関するデータを含むコンテンツが、第１の記憶部２０２に記憶された場合」に相当するものである。
【００４７】
まず、第１のネットワーク４０のネットワーク要素（サーバ等）は、データ及び緊急通知を生成し（Ｓ３１）、生成したデータ及び緊急通知を第１のサーバ２０の第１のデータ受信部２１１に対して送信する（Ｓ３２）。第１の記憶部２０２は、第１のデータ受信部２１１が受信したデータのうち、緊急通知を抽出し（Ｓ３３）、緊急通知送信部２０５は、抽出された緊急通知を移動機１０の受信部１０６に設けられた通知受信部１０７へ送信する（Ｓ３４）。送信制御部１０４は、通知受信部１０７による緊急通知の受信に応じて、第１の送信部１０１に対して送信指示情報を出力する（Ｓ３５）。第１の送信部１０１は、送信指示情報の入力を受けて、第１のサーバ２０に対してコンテンツの送信を要求するコンテンツ送信要求を生成し（Ｓ３６）、第１のサーバ２０の第１の送信要求受信部２０１に対してコンテンツ送信要求を送信する（Ｓ３７）。第１の抽出部２１５は、第１の送信要求受信部２０１によるコンテンツ送信要求の受信に応じて、記憶されている第１のデータ２１３から移動機１０のユーザに送信すべき第１のコンテンツ２０３（少なくとも緊急通知に対応するコンテンツを含むコンテンツであり、第１の選択コンテンツ登録部２１４に登録されているコンテンツに限られない。）を抽出する（Ｓ３８）。第１のコンテンツ送信部２０４は、抽出された第１のコンテンツ２０３を移動機１０の受信部１０６に対して送信する（Ｓ３９）。
【００４８】
このような構成とすることで、第２の実施形態移動機に係るコンテンツ配信システム２において、第１のサーバ２０から送信される緊急通知を受信した際に、移動機１０は第１のサーバ２０に対してコンテンツの送信を要求することができる。したがって、移動機１０において予め定められている第１の時間間隔が経過する前であっても、第１のサーバ２０からの指示に応じて移動機１０はコンテンツの配信を要求することができる。さらに、移動機１０は、第１のサーバ２０から送信される緊急通知のみに従って、コンテンツ送信要求を送信するので、緊急通知の指示に従うネットワーク（本実施形態では、第１のネットワーク４０）と、指示に従わないネットワーク（本実施形態では、第２のネットワーク５０）を区別することができる。
【００４９】
具体的には、第１のネットワーク４０のコンテンツ提供者が至急性の高いコンテンツ（例えば、臨時ニュース、災害情報、列車や飛行機の運行情報）をユーザへ配信することを希望する場合、データとあわせて上述の緊急通知を第１のサーバ２０へ送信することで、ユーザが移動機１０を操作しなくとも、移動機１０は第１のネットワーク４０から送信されたデータを記憶する第１のサーバに対してコンテンツの配信を要求することができる。また、移動機１０は、所定のネットワークから送信される緊急通知のみに従って、コンテンツ送信要求を送信することで、各ネットワークを個別に取り扱うことができる。例えば、第１のネットワーク４０は、通信会社が公認する公式サイトのみからなるネットワークとして構成し、第２のネットワーク５０は、非公式サイトのみからなるネットワークとして構成することで、それぞれのネットワークの性質（コンテンツの信頼度など）にあわせて緊急通知を取り扱うことができる。
【００５０】
また、本実施形態ではサーバの数が２つの場合を例にとって説明したが、本発明のコンテンツ配信システムにおけるサーバの数は３つ以上であっても良い。その場合、移動機１０への緊急通知を送信する緊急通知部２０５を備えたサーバは２つ以上であっても良い。同様に、ネットワークの数を３つ以上としても良い。
【図面の簡単な説明】
【００５１】
【図１】第１実施形態に係るコンテンツ配信システムの構成を示す図である。
【図２】第１実施形態に係るコンテンツ配信において、予め定められている時間間隔で移動機がコンテンツを取得する場合の手順を説明する図である。
【図３】第１実施形態に係るコンテンツ配信において、緊急通知を受信した移動機がコンテンツを取得する場合の手順を説明する図である。
【図４】第２実施形態に係るコンテンツ配信システムの構成を示す図である。
【図５】第２実施形態に係るコンテンツ配信において、予め定められている時間間隔で移動機がコンテンツを取得する場合の手順を説明する図である。
【図６】第２実施形態に係るコンテンツ配信において、緊急通知を受信した移動機がコンテンツを取得する場合の手順を説明する図である。
【符号の説明】
【００５２】
１，２…コンテンツ配信システム、１０…移動機、２０…第１のサーバ、３０…第２のサーバ、４０…第１のネットワーク、５０…第２のネットワーク、１０１…第１の送信部、１０２…第２の送信部、１０３…送信制御部、１０４…第１のタイマー、１０５…第２のタイマー、１０６…受信部、１０７…通知受信部、２０１…第１の送信要求受信部、２０２…第１の記憶部、２０３…第１のコンテンツ、２０４…第１のコンテンツ送信部、２０５…緊急通知送信部、３０１…第２の送信要求受信部、２０２…第２の記憶部、２０３…第２のコンテンツ、２０４…第２のコンテンツ送信部
【図１】
2006191391.tif 000003
【図２】
2006191391.tif 000004
【図３】
2006191391.tif 000005
【図４】
2006191391.tif 000006
【図５】
2006191391.tif 000007
【図６】
2006191391.tif 000008